【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
第１のトランスミッタであって、
第１の光源と、
そのそれぞれが前記第１の光源の発光素子を略中心とする光軸に関して回転対称である第１の部分および第２の部分を含む第１のコリメータと、を備え、
前記第１のコリメータの前記第１の部分が、狭い円形の第１の入射瞳と狭い円形の第１の射出瞳との間に広い中間体を有し、前記広い中間体が前記狭い円形の第１の入射瞳の第２の直径よりも大きく且つ前記狭い円形の第１の射出瞳の第３の直径よりも大きい第１の直径を有し、前記第１のコリメータの前記第２の部分が狭い円形の第２の入射瞳と広い円形の第２の射出瞳との間に張り出し体を有し、前記狭い第２の入射瞳が前記狭い円形の第１の射出瞳と結合されて同じ直径を有し、前記広い第２の射出瞳の第４の直径が前記第１の部分の前記広い中間体の第１の直径よりも大きく、前記狭い第１の入射瞳が前記第１の光源からの光を受光し且つ前記広い第２の射出瞳から光を放射するように前記光源の近くに配置されている、第１のトランスミッタ。
【請求項２】
データを光伝送用の光フォーマットに変換するように構成されたデータフォーマット変換器と、
前記データフォーマット変換器からデータを受信し且変換されたデータを送信するように前記第１の光源を制御するように構成された光源ドライバと、をさらに備える、請求項１に記載の第１のトランスミッタ。
【請求項３】
前記データフォーマット変換器が、データをゼロ復帰オン−オフキーイング（ＲＺ−ＯＯＫ）フォーマットまたは非ゼロ復帰オン−オフキーイング（ＮＲＺ−ＯＯＫ）フォーマットに変換するように構成されている、請求項２に記載の第１のトランスミッタ。
【請求項４】
前記データフォーマット変換器が、オーバーフローエラーを防止するために先入れ先出し（ＦＩＦＯ）送信および受信を組み込むように構成されている、請求項２に記載の第１のトランスミッタ。
【請求項５】
前記第１のコリメータの前記広い第２の射出瞳の前方に配置された第１の対の小型レンズアレイをさらに備え、前記第１の対の小型レンズアレイが、前記第１のコリメータの前記広い第２の射出瞳から出射される光の均一性を改善するための同一のケーラーホモジナイザである、請求項２に記載の第１のトランスミッタ。
【請求項６】
前記第１の対の小型レンズアレイが、前記第１のコリメータの前記広い第２の射出瞳の前方に互いに平行に配置され、前記第１の対の小型レンズアレイのそれぞれが、前記第１の対の小型レンズアレイの小型レンズのそれぞれの焦点距離に等しい距離だけ互いに離隔される、請求項５に記載の第１のトランスミッタ。
【請求項７】
前記第１のコリメータの前記第１の部分が、１０ｍｍ以下である前記狭い円形の第１の入射瞳から前記狭い第１の射出瞳までの長さを有する、請求項１に記載の第１のトランスミッタ。
【請求項８】
前記第１のコリメータの前記第２の部分が、１２ｍｍ以下である前記第１のコリメータの前記狭い第２の入射瞳から前記広い第２の射出瞳までの長さを有する、請求項１に記載の第１のトランスミッタ。
【請求項９】
前記データフォーマット変換器に結合されたデジタル装置をさらに備え、前記デジタル装置が前記第１のトランスミッタによって変調光ビームとして伝送されるべきデータを提供するように構成されている、請求項２に記載の第１のトランスミッタ。
【請求項１０】
前記第１の光源が、８５０ｎｍの重心波長を有するスペクトルを有する光放射を出射するように構成されている、請求項１に記載の第１のトランスミッタ。
【請求項１１】
それぞれが互いに同一であり且つ前記第１のトランスミッタと同一である１つ以上の追加のトランスミッタをさらに備え、前記１つ以上の追加のトランスミッタおよび前記第１のトランスミッタのそれぞれの各コリメータの各光軸が互いに平行である、請求項６に記載の第１のトランスミッタ。
【請求項１２】
前記１つ以上の追加のトランスミッタおよび前記第１のトランスミッタのそれぞれに同時に結合されるデジタル装置をさらに備え、前記デジタル装置が、前記１つ以上の追加のトランスミッタおよび前記第１のトランスミッタのそれぞれによって変調光ビームとして伝送されるべきデータを提供するように構成されている、請求項１１に記載の第１のトランスミッタ。
【請求項１３】
水平および垂直角度座標の関数として前記１つ以上のトランスミッタおよび前記第１のトランスミッタのそれぞれによって任意の所与の時間に生成される光強度出力が、多角形角度領域内の５％以下の二乗平均平方根（ＲＭＳ）非均一性を有し、前記多角形角度領域のそれぞれのサイズおよび形状が同一であり、各多角形角度領域内で前記１つ以上のトランスミッタおよび前記第１のトランスミッタのそれぞれによって所与の時間に生成された平均光強度が、それらの各多角形領域のそれぞれ内で前記１つ以上のトランスミッタおよび前記第１のトランスミッタのそれぞれによって同時に生成される平均光強度にほぼ等しい、請求項１２に記載の第１のトランスミッタ。
【請求項１４】
互いに対する前記１つ以上のトランスミッタおよび前記第１のトランスミッタのそれぞれの角度方向が、個々の多角形角度領域のそれぞれから構成された単一のより大きい結合された多角形角度領域内の光強度のＲＭＳ非均一性が５％以下であるように、前記１つ以上のトランスミッタおよび前記第１のトランスミッタのそれぞれと関連付けられた５％以下のＲＭＳ非均一性の対応する個々の多角形角度領域がいかなる隣接多角形領域間にも間隙のない非重複構成で配置されるようなものである、請求項１３に記載の第１のトランスミッタ。
【請求項１５】
第１のトランスミッタの第１の光源から光を受光する工程と、
前記第１の光源から受光した光を前記第１のトランスミッタの第１のコリメータと位置合わせする工程と、を含み、
前記第１のコリメータが、そのそれぞれが前記第１の光源の発光素子を略中心とする光軸に関して回転対称である第１の部分および第２の部分を含み、前記光が前記第１のコリメータの前記第１の部分の狭い円形の第１の入射瞳によって受光され、前記第１のコリメータの前記第１の部分が、前記狭い円形の第１の入射瞳と狭い円形の第１の射出瞳との間に広い中間体を有し、前記広い中間体が、前記狭い円形の第１の入射瞳の第２の直径よりも大きく且つ前記狭い円形の第１の射出瞳の第３の直径よりも大きい第１の直径を有し、前記狭い円形の第１の射出瞳が前記広い中間体から前記第１のコリメータの前記第２の部分の前記狭い円形の第２の入射瞳へと光を供給し、前記第１のコリメータの前記第２の部分が前記狭い円形の第２の入射瞳と広い第２の射出瞳との間に張り出し体を有し、前記第１のコリメータの前記第１の部分から光を受光するように前記狭い円形の第２の入射瞳が前記第１のコリメータの前記第１の部分の前記狭い円形の第１の射出瞳に結合され、前記広い第２の射出瞳の第４の直径が前記第１のコリメータの前記第１の部分の前記広い中間体の前記第１の直径よりも大きく、前記広い第２の射出瞳が位置合わせされた光エネルギを伝送するように前記光を放射する、方法。
【請求項１６】
受信データを光伝送用の光フォーマットに変換して光学的にフォーマットされたデータを生成する工程と、
前記光学的にフォーマットされたデータを光ビームとして放射するように前記第１の光源を駆動する工程とをさらに含み、
前記光ビームの少なくとも一部が、前記第１のコリメータによって受光される、請求項１５に記載の方法。
【請求項１７】
前記光学的にフォーマットされたデータが、ゼロ復帰オン−オフキーイング（ＲＺ−ＯＯＫ）フォーマットまたは非ゼロ復帰オン−オフキーイング（ＮＲＺ−ＯＯＫ）フォーマットを使用して変換される、請求項１６に記載の方法。
【請求項１８】
オーバーフローエラーを防止するために前記光学的にフォーマットされたデータ内に先入れ先出し（ＦＩＦＯ）送信および受信を組み込むことをさらに備える、請求項１６に記載の方法。
【請求項１９】
前記第１のコリメータの前記第２の部分の前記広い第２の射出瞳の前方に配置された第１の対の小型レンズアレイを用いて前記位置合わせされた光エネルギの均一性を高める工程をさらに含み、前記第１の対の小型レンズアレイが同一のケーラーホモジナイザである、請求項１５に記載の方法。
【請求項２０】
前記第１の対の小型レンズアレイが、前記第１のコリメータの前記第２の部分の前記広い第２の射出瞳の前方に互いに平行に配置され、前記第１の対の小型レンズアレイのそれぞれが、前記第１の対の小型レンズアレイの小型レンズのそれぞれの焦点距離に等しい距離だけ互いに離隔される、請求項１９に記載の方法。
【請求項２１】
前記第１のコリメータの前記第１の部分が、１０ｍｍ以下である前記狭い円形の第１の入射瞳から前記狭い円形の第１の射出瞳までの長さを有する、請求項１５に記載の方法。
【請求項２２】
前記第１のコリメータの前記第２の部分が、１２ｍｍ以下である前記第１のコリメータの前記狭い円形の第２の入射瞳から前記広い第２の射出瞳までの長さを有する、請求項１５に記載の方法。
【請求項２３】
チルトアクチュエータを使用して前記第１のトランスミッタの指向方向を制御する工程をさらに含む、請求項１５に記載の方法。
【請求項２４】
前記データフォーマット変換器によってデジタル装置から装置データを受信して受信データを作成する工程をさらに含み、前記装置データが、前記第１のトランスミッタによって変調光ビームとして伝送される少なくとも１つのファイルを含む、請求項１５に記載の方法。
【請求項２５】
前記第１の光源が、８５０ｎｍの重心波長を有するスペクトルを有する光放射を出射するように構成されている、請求項１５に記載の方法。
【請求項２６】
それぞれが互いに同一であり且つ前記第１のトランスミッタと同一である１つ以上の追加のトランスミッタによって光ビームを放射する工程をさらに含み、前記１つ以上の追加のトランスミッタおよび前記第１のトランスミッタのそれぞれの各コリメータの各光軸が互いに平行である、請求項１５に記載の方法。
【請求項２７】
前記１つ以上の追加のトランスミッタおよび前記第１のトランスミッタのそれぞれによって変調光ビームとして伝送されるべきデータをデジタル装置によって提供する工程をさらに含み、前記デジタル装置が、前記１つ以上の追加のトランスミッタおよび前記第１のトランスミッタのそれぞれに同時に結合される、請求項２６に記載の方法。
【請求項２８】
水平および垂直角度座標の関数として前記１つ以上のトランスミッタおよび前記第１のトランスミッタのそれぞれによって任意の所与の時間に生成される光強度出力が、多角形角度領域内の５％以下の二乗平均平方根（ＲＭＳ）非均一性を有し、前記多角形角度領域のそれぞれのサイズおよび形状が同一であり、各多角形角度領域内で前記１つ以上のトランスミッタおよび前記第１のトランスミッタのそれぞれによって所与の時間に生成された平均光強度が、それらの各多角形角度領域のそれぞれ内で前記１つ以上のトランスミッタおよび前記第１のトランスミッタのそれぞれによって同時に生成される平均光強度にほぼ等しい、請求項２６に記載の方法。
【請求項２９】
互いに対する前記１つ以上のトランスミッタおよび前記第１のトランスミッタのそれぞれの角度方向が、個々の多角形角度領域のそれぞれから構成された単一のより大きい結合された多角形角度領域内の光強度のＲＭＳ非均一性が５％以下であるように、前記１つ以上のトランスミッタおよび前記第１のトランスミッタのそれぞれと関連付けられた５％以下のＲＭＳ非均一性の対応する個々の多角形角度領域がいかなる隣接多角形領域間にも間隙のない非重複構成で配置されるようなものである、請求項２８に記載の方法。
【請求項３０】
トランスミッタであって、
光源と、
そのそれぞれが前記光源の発光素子を略中心とする光軸に関して回転対称である第１の部分および第２の部分を含むワイングラスコリメータと、を備え、
前記第１の部分が狭い入射瞳と狭い円形の射出瞳との間に広い中間体を有する略楕円形であり、前記広い中間体が前記狭い入射瞳の第２の直径よりも大きく且つ前記狭い円形の射出瞳の第３の直径よりも大きい第１の直径を有し、前記第２の部分が狭い円形の入射瞳と広い射出瞳との間に張り出し体を有する略放物面形状であり、前記狭い円形の入射瞳が前記第１の部分の前記狭い円形の射出瞳に結合され、前記広い射出瞳の第４の直径が前記第１の部分の前記広い中間体の前記第１の直径よりも大きく、前記光源から光を受光して前記広い射出瞳から前記光を放射するように前記狭い入射瞳が前記光源の近くに配置されている、トランスミッタ。